(57)【要約】【課題】大きさ、形状および色（透明を含む）の構成を自由に選択できる付箋紙を提供する。【解決手段】本体１は、書き込み層部２、透光性部３、および別の書き込み層部２を１枚ずつ重ね、それを一定間隔に従って縦横に切断線４を設けたものである。最外層は色つきの紙または透光性フィルムで構成されいずれも書き込みが可能な書き込み層部２である。その内側に弱い接着剤からなる粘着層部３ａを介して、中央部は透光性芯体層部３ｂとなっている。この断面を貫くように、切断線４が加工されており、この切断線４に沿って全体を切り離すこと、あるいは各層毎に切り剥がすことも可能である。【選択図】図３
2014188945.tif 000002
【特許請求の範囲】
【請求項１】
再剥離可能である透光性部３と、
筆記具で書き込み可能な書き込み層部２を備える付箋紙であって、
断面方向に透光性部３の上下に書き込み層部２として、表面書き込み層部２ａと裏面書き込み層部２ｂを重ね、
平面視において一定間隔に従って縦横に切断線４が設けられていることを特徴とした付箋紙。
【請求項２】
前記切断線４としてミシン目４ａを使用していることを特徴とする請求項１記載の付箋紙。
【請求項３】
前記切断線４としてクサビ型切り込み４ａを使用していることを特徴とする請求項１記載の付箋紙。
【請求項４】
前記透光性部３が、透光性芯体層部３ａの上下に粘着層部３ｂが被覆されて構成されていることを特徴とした請求項１から３のいずれか記載の付箋紙。
【請求項５】
前記付箋紙は、切断線４を利用し切り取って分割可能であることを特徴とする請求項１から４のいずれか記載の付箋紙。
【請求項６】
前記付箋紙は、切断線４を利用し、表面書き込み層部２ａまたは裏面書き込み層部２ｂのみを切り剥がすことが可能であることを特徴とする請求項１から５のいずれか記載の付箋紙。
【請求項７】
前記付箋紙は、切断線４を利用し、表面または裏面の書き込み層部２および透光性部３を切り剥がし、表面または裏面の書き込み層部２のみを残すことが可能なことを特徴とする請求項１から６のいずれか記載の付箋紙。
【請求項８】
前記付箋紙は、切断線４を利用し、両面の書き込み層部２を切り剥がし、透光性部３のみを残すことで、両面接着テープになることを特徴とする請求項１から７のいずれか記載の付箋紙。
【請求項９】
前記付箋紙は、表面または裏面の書き込み層部２の表裏をそれぞれ異なる色にすることで、ある一部分の付箋紙の色を最大４色のいずれかから書き込み面の色を選択可能であることを特徴とする請求項１から８のいずれか記載の付箋紙。
【請求項１０】
前記付箋紙は、切断線４を山折りあるいは谷折りすることで、立体的な付箋紙になることを特徴とする請求項１から９のいずれか記載の付箋紙。
【発明の詳細な説明】
【技術分野】
【０００１】
本発明は、用途により、大きさ、形状および色の構成を自由に選択できる付箋紙に関する。
【背景技術】
【０００２】
付箋紙は、使用頻度が高く、また様々な使用形態として用いられている特徴がある。例として、幅の狭い短冊型の付箋紙は、本のしおりやなんらかのチェックを表す目印などとして使用されている。また、幅の広い正方形型の付箋紙は、ブレインストーミングやメモ書きなどとして使われることが多い。そして、付箋紙の色を目的に応じて区別することにより、作業効率の向上を図る例もある。
【０００３】
このように、付箋紙の応用力の高さから、近年では販売されている付箋紙の種類も豊富になり、ある目的に特化した工夫が施されている付箋紙も数多く商品化されている。例えば、本に目印として貼付する付箋紙は、本に印刷されている文字が付箋紙によって隠れないようにするため、一部分が透明になっているものがある。また、他人へのメモ書きとして残すことを目的とした付箋紙では、キャラクターなどを模り、より目立つよう工夫したものがある。
【０００４】
また一方では、その使用頻度の高さから、大量の同形状の付箋紙を商品化しているものもある。しかし、使用者によって必要な付箋紙の適切な内容量は異なり、使いきれないなどの使用効率の問題もある。
【０００５】
使用者が付箋紙をはさみで切断するなどして最適な使用形態にカスタマイズする例もある。しかしながら、別途はさみが必要になることや、その作業効率の悪さなどの欠点がある。また、切断したことによる資源の無駄や同形状の付箋紙を別々の機会において作成しにくいといった点も指摘される。
【０００６】
結局のところ、多くの種類の異なる付箋紙を購入し保管しておくことで、様々な使用用途に対応することが簡単な対策ではある。しかし、その購入費用や保管場所などの問題があり、使用効率が悪いのが現状である。
【０００７】
このような状況において、複数の使用形態が得られる付箋紙が開発されている。特許文献１には、一部分を透過色にした短冊型の付箋テープにクサビ型切り込みを設けている付箋テープが開示される。この付箋テープは、本の印刷文字が付箋紙によって隠される問題を透過色にすることによって解決し、また付箋紙を貼付したまま複写機でコピーすると自動紙送り時に紙詰まりを起こす問題を、クサビ型切り込みを利用して付箋テープを切断することで解決するものである。しかしながら、この付箋テープは１つの付箋テープで２種類の効果を実現しているが、使用用途が限られてしまっている。
【０００８】
また、捺印箇所をわかりやすく示すための付箋紙や、しおりが本からはみ出している表示部を折曲可能に工夫し見やすくなるようにした付箋紙もあるが、いずれも使用用途を大きく増加させるような改良まで至っていない。
【先行技術文献】
【特許文献】
【０００９】
【特許文献１】実開平７−２７８６７号公報
【発明の概要】
【発明が解決しようとする課題】
【００１０】
本発明はこのような従来の問題点に鑑みてなされたものであり、その目的は、１つの付箋紙にて様々な用途に対応することができるように、使用する部分の大きさ、形状および色の構成を自由に選択できる付箋紙を提供することにある。
【課題を解決するための手段】
【００１１】
本発明の請求項１に記載される付箋紙は、大きさ、形状および色の構成を自由に選択できる付箋紙である。本体１は、再剥離可能な粘着剤を両面に塗布した透光性部３と、筆記具で表裏面に書き込み可能な書き込み層部２を備えて、透光性部３の上下に書き込み層部２を一枚ずつ重ね、それに一定間隔に従って縦横に切断線４が設けられていることを特徴とする。
【００１２】
また、本発明の請求項２に記載される付箋紙は、請求項１に記載される特徴に加えて、切断線４としてミシン目４ａを使用していることを特徴とする。
【００１３】
さらに、本発明の請求項３に記載される付箋紙は、請求項１に記載される特徴に加えて、切断線４としてクサビ型切り込み４ａを使用していることを特徴とする
【００１４】
さらにまた、本発明の請求項４に記載される付箋紙は、請求項１から３のいずれかに記載される特徴に加えて、透光性部３が、透光性芯体層部３ａの上下に粘着層部３ｂが被覆して構成されていることを特徴とする。
【００１５】
さらにまた、本発明の請求項５に記載される付箋紙は、請求項１から４に記載される特徴に加えて、切断線４を利用し切り取り可能であることを特徴とする。
【００１６】
さらにまた、本発明の請求項６に記載される付箋紙は、請求項１から５に記載される特徴に加えて、切断線４を利用して本体１から片面の書き込み層部２のみを切りはがすことができることを特徴とする。
【００１７】
さらにまた、本発明の請求項７に記載される付箋紙は、請求項１から６に記載される特徴に加えて、切断線４を利用し、表面または裏面の書き込み層部２および透光性部３を切りはがし、表面または裏面の書き込み層部２のみを残すことが可能なことを特徴とする。
【００１８】
さらにまた、本発明の請求項８に記載される付箋紙は、請求項１から７に記載される特徴に加えて、切断線４を利用し、両面の書き込み層部２を切りはがし、透光性部３のみを残すことで、両面接着テープになることを特徴とする。
【００１９】
さらにまた、本発明の請求項９に記載される付箋紙は、請求項１から８に記載される特徴に加えて、表面または裏面の書き込み層部２の表裏をそれぞれ異なる色にすることで、ある一部分の付箋紙の色を最大４色のいずれかから書き込み面の色を選択可能であることを特徴とする。
【００２０】
さらにまた、本発明の請求項１０に記載される付箋紙は、請求項１から９に記載される特徴に加えて、切断線４を山折りあるいは谷折りすることで、立体的な付箋紙になることを特徴とする。
【発明の効果】
【００２１】
以上説明したように、本発明の付箋紙は、切断線を利用して切り取ることで、自由な大きさおよび形状の付箋紙を作成することが可能である。また、書き込み層部の裏表を利用することにより、複数の色を選択することができる。
【図面の簡単な説明】
【００２２】
【図１】本発明の第一実施例に係る付箋紙の本体を示す斜視図である。
【図２】本発明の第一実施例に係る付箋紙の本体から１枚折り返した状態を示す斜視図である。
【図３】本発明の第一実施例に係る付箋紙を本体から２枚折り返した状態を示す斜視図である。
【図４】本発明の第二実施例に係る付箋紙の切断線をミシン目とした本体を示す斜視図である。
【図５】本発明の第三実施例に係る付箋紙の切断線をクサビ型切り込みとした本体を示す斜視図である。
【図６】本発明の第四実施例に係る付箋紙を本体から１枚切り取る様子を示す斜視図である。
【図７】本発明の第四実施例に係る付箋紙の本体から１枚切り取った状態を示す斜視図である。
【図８】本発明の第四実施例に係る付箋紙の本体から２枚切り取った状態を示す斜視図である。
【図９】本発明の第四実施例に係る付箋紙を本体の表裏からそれぞれ１枚ずつ切り取った状態を示す斜視図である。
【図１０】本発明の第五実施例に係る付箋紙の貼付した状態を示す斜視図である。
【図１１】本発明の第五実施例に係る付箋紙の貼付した状態を示す断面図である。
【図１２】本発明の第六実施例に係る付箋紙の短冊形および正方形である基本的使用形態を示す斜視図である。
【図１３】本発明の第七実施例に係る付箋紙の凸形である使用形態を示す斜視図である。
【図１４】本発明の第七実施例に係る付箋紙の穴抜き形である使用形態を示す斜視図である。
【図１５】本発明の第八実施例に係る付箋紙の第一例の立体形である使用形態を示す斜視図である。
【図１６】本発明の第八実施例に係る付箋紙の第二例の立体形である使用形態を示す斜視図である。
【図１７】本発明の第九実施例に係る付箋紙の多色式本体を示す斜視図である。
【図１８】本発明の第十実施例に係る付箋紙のロール式本体を示す斜視図である。
【発明を実施するための形態】
【００２３】
以下、本発明の実施の形態を図面に基づいて説明する。ただし、以下に示す実施の形態は、本発明の技術思想を具体化するための付箋紙を例示するものであって、本発明は付箋紙を以下のものに特定しない。特に本明細書は、特許請求の範囲を理解し易いように、実施の形態に示される部材に対応する番号を、「特許請求の範囲の欄」、及び「課題を解決するための手段の欄」に示される部材に付記しているが、特許請求の範囲に示される部材を、実施の形態の部材に特定するものでは決してない。特に実施の形態に記載されている構成部材の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
［第一実施例］
【００２４】
図１〜図３に、本発明の第一実施例に係る付箋紙を示す。図１は付箋紙の本体を示す斜視図、図２は本体から１枚折り返した状態を示す斜視図、図３は付箋紙を本体から２枚折り返した状態を示す斜視図である。
【００２５】
これらの図に示す付箋紙の本体１は、第一書き込み層部２ａおよび第二書き込み層部２ｂを含む書き込み層部２と、透光性部３と、切断線４からなる。
【００２６】
書き込み層部２に含まれる第一書き込み層部２ａおよび第二書き込み層部２ｂは、便宜上「第一」または「第二」と表現しているが、構造、材質など同一のものであり、例として付箋紙を裏返しても本体１に変化は生じない。
【００２７】
図１に示すように、真上から見た本体１は色つきの紙または透光性フィルムである書き込み層部２が全面にあり、透光性部３は隠れている。切断線４が縦横に加工されているが、完全に切断されてはおらず、それぞれの升目は接続されている。
【００２８】
それぞれの切断線同士の間隔は一定間隔に従って縦横ともに１ｃｍが好ましく、本体１は縦方向に８升、横方向に８升である８ｃｍ×８ｃｍの大きさが適当である。
【００２９】
図２に示すように、本体１は第一書き込み層部２ａをはがすことができる。この第一書き込み層部２ａを折り返すと透光性部３が現れる。この透光性部３の面を利用し、様々なものに本体１を貼付することができる。透光性部３の表面には、弱粘性の接着剤が塗布されている。これにより、透光性部３は再剥離可能であり、何度でも貼付をやり直すことができる。
【００３０】
また、第一書き込み層部２ａまたは第二書き込み層部２ｂの透光性部３との接続面には粘着剤は付いておらず、これら書き込み層部２は表裏無関係のものであり、表裏どちらも筆記具で容易に書き込み可能である。
【００３１】
図２における透光性部３も第一書き込み層部２ａと同様に剥がすことが可能であり、折り返した状態を図３に示す。このことで第二書き込み層部２ｂが現れる。上に記したようにこの第二書き込み層部の表裏にも同様に書き込み可能であり、粘着剤は付着していない。
［第二実施例］
【００３２】
図４に、本発明の第二実施例に係る付箋紙を示す。図４は本体１の断面図である。図４に示す本体１は、透光性部３が、透光性芯体層部３ｂの上下に粘着層部３ａをそれぞれ被覆させることで構成されているものである。
【００３３】
また、切断線４としてミシン目４ａを使用しており、断面を貫くように加工されている。このミシン目４ａを利用することにより、容易に本体１をより小さい付箋紙に切り離すことや、書き込み層部２または書き込み層部２と透光性部３を切り剥がすことが可能である。
【００３４】
透光性芯体層部３ｂおよび粘着層部３ａは、透光性部３として一つの層であり、それぞれを切り離すことはできない。
【００３５】
図４から図９は、便宜上十分に拡大した断面図であり、各層の厚さは０．１ｍｍ程度が望ましい。また、側面での粘着層部３ａの粘着効果は、層の厚さが薄いため影響しないものとする。
［第三実施例］
【００３６】
図５に、本発明の第三実施例に係る付箋紙を示す。図５は本体１の断面図である。図５に示す本体１は、切断線４としてクサビ型切り込み４ｂを使用している。クサビ型切り込み４ｂは第一書き込み層部２ａおよび第二書き込み層部２ｂの裏面と透光性部３の表裏に設けられており、これら計４個のクサビ型切り込みは本体と垂直に直角に位置している。また、クサビ型切り込み４ｂが加工されている上部には、切り離す際に容易にクサビ型切り込み４ｂの位置が分かるように、第一書き込み層部２ａおよび第二書き込み層部２ｂの表面には薄い示線５が書き込まれている。
【００３７】
このクサビ型切り込み４ｂを利用することにより、容易に本体１をより小さい付箋紙に切り離すことや、書き込み層部２または書き込み層部２と透光性部３を切り剥がすことが可能である。
【００３８】
クサビ型切り込み４ｂは切り込まれている方向に紙などを折曲させることで切り離すことができる。しかし、図５では第一書き込み層部２ａおよび第二書き込み層部２ｂは、本来とは反対方向にクサビ型切り込み４ｂが加工されている。これは、第一書き込み層部２ａまたは第二書き込み層部２ｂの表面に筆記具で文字などを書き込む際に、クサビ型切り込み４ｂが邪魔になり、書き込みにくいといったことを防止するためである。
【００３９】
クサビ型切り込み４ｂを利用して、本体１をより小さい付箋紙に切り離す事は、まず始めに第一書き込み層部２ａと透光性部３を折り返し、切り離し、そして、第二書き込み層部２ｂを切り離すことで実現できる。
［第四実施例］
【００４０】
図６〜図９に、本発明の第四実施例に係る付箋紙を示す。図６は付箋紙の本体から１枚切り取る様子を示す斜視図、図７は本体から１枚切り取った状態を示す斜視図、図８は付箋紙を本体から２枚切り取った状態を示す斜視図、図９は付箋紙の表裏からそれぞれ１枚ずつ切り取った状態を示す斜視図である。
【００４１】
本体１からより小さい付箋紙に切り離すことや、書き込み層部２または書き込み層部２と透光性部３を切り剥がすためには、まず始めに図６のように任意の場所の切断線４を利用して、適当な大きさの第二書き込み層部２ｂを本体１から剥離させる。そして、再び別の切断線４を利用して本体１から完全に第二書き込み層部２ｂを切り剥がした状態が図７である。
【００４２】
図７において、切り剥がした不要層６は必要がなければ処分する。これらの処理後、作成された図７の本体１は、真ん中部分のみ粘着層部３ａが現れ、これを利用して任意の場所に貼付することができる付箋紙になる。
【００４３】
図７は便宜上、真ん中下部の第二書き込み層部２ｂを切り剥がしているが、切り剥がす層の場所は任意である。また、１升のみではなく任意の大きさの書き込み層部２を切り剥がすことが可能である。
【００４４】
図８は切断線４を利用して、本体１から第二書き込み層部２ｂおよび透光性部３の計２層を切り剥がした状態を示す。結果、図８の本体１は第二書き込み層部２ｂ側から見れば、一部分に第一書き込み層部２ａが現れている付箋紙になる。この状態は、粘着層部３ａが現れていないため、付箋紙が貼付されてしまうことはない。
【００４５】
図８は便宜上、左側下部の第二書き込み層部２ｂおよび透光性部３の計２層を切り剥がしているが、切り剥がす層の場所は任意である。また、１升のみではなく任意の大きさの書き込み層部２および透光性部３の計２層を切り剥がすことが可能である。
【００４６】
図９は切断線４を利用して、本体１から第一書き込み層部２ａおよびその下部にある第二書き込み層部２ｂの計２層を切り剥がした状態を示す。結果、図９の本体１は真ん中部分が両面に粘着層部３ａが現れているため、両面に貼付可能な付箋紙になる。
【００４７】
図９は便宜上、真ん中の第一書き込み層部２ａおよびその下部にある第二書き込み層部２ｂの計２層を切り剥がしているが、切り剥がす層の場所は任意である。また、１升のみではなく任意の大きさの第一書き込み層部２ａおよびその下部にある第二書き込み層部２ｂの計２層を切り剥がすことが可能である。
【００４８】
また、図７、図８、および図９に示した任意の層を切り剥がした状態を組み合わせて、様々な形態の付箋紙を作成することも可能である。例として、図７および図９を組み合わせれば、一部は片面に粘着層部３ａがあり、また別の場所は両面に粘着層部３ａが現れている付箋紙を作成することができる。
そして、図６〜図９は便宜上、横に３升の大きさの本体１を使用しているが、切断線４を利用することにより、任意の大きさから様々な図７〜図９のような付箋紙を作成することが可能である。
［第五実施例］
【００４９】
図１０および図１１に、本発明の第五実施例に係る付箋紙を示す。図１０は貼付された付箋紙を正面から見た図であり、図１１は、図１０の付箋紙をどちらの付箋紙もともに側面から見た図である。
【００５０】
図１０の上部の本体１は、図１１の上部の本体１と同一であり、一端の第二書き込み層部２ｂを切り剥がして作成した付箋紙である。また、図１０の下部の本体１は、図１１の下部の本体１と同一であり、第二書き込み層部２ａを全て切り剥がし、両端の透光性部３を切り剥がして作成した付箋紙である。
これらの状態の付箋紙を図示する場合、図１０では付箋紙を正面から見た図であるため、本来は第一書き込み層部２ａのみが現れているが、便宜上、貼付された付箋紙を図示する場合は、以後、図１０のように底部の状態を表すものとする。
【００５１】
図１０のように、透光性部３が現れるように作成した付箋紙は、任意の場所に貼付することが可能である。反対に本発明の付箋紙は、任意の場所に貼付する際には図１０のように、透光性部３が現れるように作成する必要がある。
【００５２】
従来の付箋紙と本発明の付箋紙を比較した表を以下に示す。表１のように本発明の付箋紙は、切断線を設けることにより付箋紙の長さ、形状、および書込部を任意に選択することが可能である。反対に、切り離していない本体１の大きさを８ｃｍ×８ｃｍとすれば、従来品よりも大きくなり、保管場所などの問題が生じることや、また各層を切り離すなどの処理が必要になるために作業効率の問題がある。しかしながら、使用できる用途が格段に広がり、複数の付箋紙を購入する必要がないために使用効率も向上する。結果として、付箋紙を使用する機会が少ない場合や、様々な用途に使用する可能性がある場合において、従来の付箋紙に比べ優れていることがわかる。
【００５３】
表１  本発明品と類似発明品との比較
2014188945.tif 000003
【００５４】
［第六実施例］
【００５５】
図１２に、本発明の第六実施例に係る付箋紙を示す。図１２は、短冊形および正方形として作成した付箋紙の使用形態を示す。それぞれの形状の付箋紙は図１２に示すように本７などに貼付すれば、短冊形本体８は本７のしおり代わりとして使用することができ，書き込み層部２に書き込むことができる．また、正方形本体９のはメモ書きに使用できたり、ブレインストーミングのように情報収集法に利用できたりする。
【００５６】
これらの使用形態は、市販されている付箋紙の基本的な使用形態であるが、本発明の付箋紙は同じように使用でき、１つでそれぞれの使用形態に対応できることがわかる。また、大きさや幅なども自由に作成できることから、従来品よりさらに応用力が高い。
［第七実施例］
【００５７】
図１３および図１４に、本発明の第七実施例に係る付箋紙を示す。図１３は、凸形として作成した付箋紙の使用形態を示す。図１４は穴抜き形として作成した付箋紙の使用形態を示す。
【００５８】
図１３に示す凸形本体１２は、ファイル１０を格納した整理棚１１の区切り部分に貼付している。付箋紙の真ん中部分を、透光性部３を利用して貼付しているため、書き込み層部２が左右に分断されているように見える効果があることが特徴である。このため、図１３に示すように調査済のファイルと調査前のファイルをわかりやすく表すことが可能となっている。
【００５９】
図１４に示す穴抜き形本体１６は、書類１３に印鑑１４の捺印場所が中心になるように貼付している。捺印場所を囲むように穴抜き形本体１６を貼付しているために、捺印場所が非常にわかりやすくなっているにも関わらず、穴抜き形本体１６を取り外すことなく捺印することが可能となっている。また図１４に示すように、印鑑１４を何度も利用し捺印を複数の書類１３に繰り返し、重ねて保管する場合、穴抜き形本体１６が、書類１３の捺印場所が別の書類１３に触れることを防いでいるために、印１５のインクが乾いていない状態でもインクが他の書類に付着することなく作業を継続できる。
【００６０】
図１３および図１４に示したように、本発明の付箋紙は様々な形態の付箋紙に加工することができる。例として、Ｌ字型に切り取り本のしおり代わりとして使用すれば、保管する際に本の周囲にスペースが少ない場合などに効果を発揮する。
［第八実施例］
【００６１】
図１５および図１６に、本発明の第八実施例に係る付箋紙を示す。図１５は、立体形の第一例として作成した付箋紙の使用形態を示す。図１６は立体形の第二例として作成した付箋紙の使用形態を示す。
【００６２】
図１５における第一例立体形本体１８は、付箋紙を直方体の展開図のように切り取り、切断線４を山折りや谷折りにすることで、鉛筆１７を入れることができるようにした立体的使用形態である。さらに、この第一例立体形本体１８の書き込み層部に書き込まれた文字は様々な角度へ表示することが可能である。また、内部の書き込み層部２を一部切り剥がし、鉛筆１７を固定するといった工夫も可能である。
【００６３】
図１６における第二例立体形本体２０は、図１５と同様に直方体の展開図のように切り取った付箋紙を、切断線４に沿って任意の場所を山折りや谷折りすることで作成された立体的使用形態である。第二例立体形本体２０は、立体的に作成された内部にネジ、ナットやホッチキスの芯、クリップなど細かく、小さいものをまとめて保管することができる。透光性部３によって固定されるために、内部の物を紛失する可能性も少ない。また、第二例立体形本体２０は一部の書き込み層部２を両面とも切り剥がし、固定物１９を固定するためにも利用している。このように、第二例立体形本体２０は小さい物でも大きい物でも同様に固定させることができる付箋紙になる。また、第一例立体形本体１８と同様にメモ書きなどを様々な角度へ見せることが可能である。
【００６４】
図１５および図１６に示したように、本発明の付箋紙は立体的な使用形態として用いることも容易であり、その効果も高い。従来の付箋紙では不可能な使用形態である。
［第九実施例］
【００６５】
図１７に、本発明の第九実施例に係る多色から付箋紙の色を選択可能な使用形態の付箋紙を示す。図１７は、多色式本体２１の使用形態を示す斜視図である。
多色式本体２１は、第一書き込み層部２ａおよび第二書き込み層部２ｂのそれぞれ両面の色を異なる色にすることにより、計４色から構成され、またそれを中心から色を切り換えることで計８色から書き込み層部２の色を選択可能にしている。例として、色Ａ付き書き込み層部２２Ａを赤色、色Ｂ付き書き込み層部２２Ｂを青色、色Ｃ付き書き込み層部２２Ｃを黄色、色Ｄ付き書き込み層部２２Ｄを白、色Ｅ付き書き込み層部２２Ｅを緑色、色Ｆ付き書き込み層部２２Ｆを水色、色Ｇ付き書き込み層部２２Ｇを紫色、色Ｈ付き書き込み層部２２Ｈを黒色などで構成する。色Ａ付き書き込み層部２２Ａに書き込む内容は、赤色のためより注意を払う内容、また色Ｂ付き書き込み層部２２Ｂに書き込む内容は、スケジュール的な内容、あるいは色Ｃ付き書き込み層部２２Ｃに書き込む内容は、黄色で目立ちやすいために優先度の高い内容などといった、目的に合わせて作業効率を高めるように付箋紙の色を選択することができる。
また、透明や半透明といった書き込み層部２にすると、しおりとして使用する際は付箋紙の下に印字されている文字が隠されることなく貼付することができる。透明と不透明など色を組み合わせることも可能である。
【００６６】
そして、表裏で色が異なるために、しおりとして利用する場合は、見る方向によって付箋紙の色が異なるという効果が得られる。
［第十実施例］
【００６７】
図１８に、本発明の第十実施例に係るロール式の使用形態の付箋紙を示す。図１８は、ロール式本体２４とした使用形態を示す斜視図である。
芯部２３に付箋紙を巻き、ロール式にすることで、ロールの長さ方向に大きいサイズの付箋紙を作成すること可能となる。また、断片的に付箋紙が残るといったことが減少し効率よく使用することができる．
【産業上の利用可能性】
【００６８】
本発明の付箋紙は、しおり、メモ書き、ブレインストーミング等に好適に利用できる。
【符号の説明】
【００６９】
１…本体
２…書き込み層部
２ａ…第一書き込み層部
２ｂ…第二書き込み層部
３…透光性部
３ａ…粘着層部
３ｂ…透光性芯体層部
４…切断線
４ａ…ミシン目
４ｂ…クサビ型切り込み
５…示線
６…不要層
７…本
８…短冊形本体
９…正方形本体
１０…整理棚
１１…ファイル
１２…凸形本体
１３…書類
１４…印鑑
１５…印
１６…穴抜き形
１７…鉛筆
１８…第一例立体形本体
１９…固定物
２０…第二例立体形本体
２１…多色式本体
２２Ａ…色Ａ付き書き込み層部
２２Ｂ…色Ｂ付き書き込み層部
２２Ｃ…色Ｃ付き書き込み層部
２２Ｄ…色Ｄ付き書き込み層部
２２Ｅ…色Ｅ付き書き込み層部
２２Ｆ…色Ｆ付き書き込み層部
２２Ｇ…色Ｇ付き書き込み層部
２２Ｈ…色Ｈ付き書き込み層部
２３…芯部
２４…ロール式本体
【図１】
2014188945.tif 000004
【図２】
2014188945.tif 000005
【図３】
2014188945.tif 000006
【図４】
2014188945.tif 000007
【図５】
2014188945.tif 000008
【図６】
2014188945.tif 000009
【図７】
2014188945.tif 000010
【図８】
2014188945.tif 000011
【図９】
2014188945.tif 000012
【図１０】
2014188945.tif 000013
【図１１】
2014188945.tif 000014
【図１２】
2014188945.tif 000015
【図１３】
2014188945.tif 000016
【図１４】
2014188945.tif 000017
【図１５】
2014188945.tif 000018
【図１６】
2014188945.tif 000019
【図１７】
2014188945.tif 000020
【図１８】
2014188945.tif 000021
【手続補正書】
【提出日】平成25年5月19日(2013.5.19)
【手続補正１】
【補正対象書類名】特許請求の範囲
【補正対象項目名】請求項１
【補正方法】変更
【補正の内容】
【請求項１】
再剥離可能な粘着剤を両面に塗布した透光性部３と、
筆記具で書き込み可能な書き込み層部２を備える付箋紙であって、
断面方向に透光性部３の上下に書き込み層部２として、表面書き込み層部２ａと裏面書き込み層部２ｂを重ね、
平面視において一定間隔に従って縦横に切断線４が設けられていることを特徴とした付箋紙。
【手続補正２】
【補正対象書類名】特許請求の範囲
【補正対象項目名】請求項４
【補正方法】変更
【補正の内容】
【請求項４】
前記透光性部３が、透光性芯体層部３ｂの上下に粘着層部３ａが被覆されて構成されていることを特徴とした請求項１から３のいずれか記載の付箋紙。
【手続補正３】
【補正対象書類名】明細書
【補正対象項目名】００１４
【補正方法】変更
【補正の内容】
【００１４】  さらにまた、本発明の請求項４に記載される付箋紙は、請求項１から３のいずれかに記載される特徴に加えて、透光性部３が、透光性芯体層部３ｂの上下に粘着層部３ａが被覆して構成されていることを特徴とする。